【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
移動体無線ネットワーク（１００）内でプッシュツートーク・メッセージ（７０５）を転送し、プッシュツートーク・クライアント（１２５）から、プッシュツートーク・メッセージ（７０５）の送信要求（７１５）を受信するインタフェース（１４８）と、転送されるべきプッシュツートーク・メッセージを受信するインタフェース（１４８）と、プッシュツートーク・メッセージをプッシュツートーク・クライアント（１２５）へ送信するインタフェース（１４８）と、別のサーバからプッシュツートーク・クライアントへ送信されるべきメッセージを受信するように構成されたインタフェース（２０６）と、プッシュツートーク・クライアントから受信したプッシュツートーク・メッセージを、前記別のサーバへ送信するように構成されたインタフェース（２０６）と、一時にプッシュツートーク・グループ内の１つのプッシュツートーク・クライアントに、プッシュツートーク・メッセージの送信許可を与える許可メカニズム（１５５）とを備えるプッシュツートーク・サーバ（１０５）であって、
前記プッシュツートーク・サーバを経由したプッシュツートーク・クライアントへのメッセージ（７００）の送信要求（７１５）を、前記別のサーバ（２１０）から受信するように構成されたインタフェース（２０６）を備え、
前記許可メカニズムは、唯１つのプッシュツートーク・クライアント、または、前記別のサーバが、拡大されたチャットグループ内のプッシュツートーク・クライアントへ一時にメッセージを送信することが許可されるように、前記別のサーバからの前記要求を処理するように構成され、
前記プッシュツートーク・サーバは、前記別のサーバからの要求に対し、プッシュツートーク・クライアントからの要求に対する場合とは異なる応答を行うように構成されていることを特徴とする、プッシュツートーク・サーバ。
【請求項２】
前記許可メカニズムは、プッシュツートーク・クライアントから受信した要求よりも前記別のサーバから受信した要求を優先させるように構成されていることを特徴とする、請求項１に記載のプッシュツートーク・サーバ。
【請求項３】
前記許可を前記別のサーバに与えた後、該別のサーバからプッシュツートーク・クライアントへメッセージを送信する前記許可をいつ回収するかを決定するように構成された回収メカニズム（１６０ａ、１６０ｂ）を備えることを特徴とする、請求項１または２に記載のプッシュツートーク・サーバ。
【請求項４】
前記回収メカニズムは、可変パラメータを監視するモニタ（３００、３１０）を備え、前記決定を行う場合に前記可変パラメータの値を所定の値と比較するように構成されていることを特徴とする、請求項３に記載のプッシュツートーク・サーバ。
【請求項５】
前記モニタはカウンタ（３１０）を含み、前記可変パラメータは、前記別のサーバから受信したチャットメッセージの数であることを特徴とする、請求項４に記載のプッシュツートーク・サーバ。
【請求項６】
前記モニタはタイマ（３００）であり、前記可変パラメータは、前記許可が前記別のサーバに与えられてから経過した時間であることを特徴とする、請求項４に記載のプッシュツートーク・サーバ。
【請求項７】
前記所定の数を動的に決定するメカニズムを備えることを特徴とする、請求項４乃至６のいずれか１項に記載のプッシュツートーク・サーバ。
【請求項８】
コンピュータネットワーク（１３５）内でチャットメッセージ（７００）を転送し、転送されるべきチャットメッセージをチャットクライアント（２１５）から受信するインタフェース（２３７）と、チャットメッセージをチャットクライアントへ送信するインタフェース（２３７）と、チャットメッセージをプッシュツートーク・サーバに送信するように構成されたインタフェース（２０７）と、請求項１乃至６のいずれか１項に記載の前記プッシュツートーク・サーバからプッシュツートーク・メッセージを受信するように構成されたインタフェース（２０７）とを備えるチャットサーバ（２１０）であって、
プッシュツートーク・クライアント（１２５）へチャットメッセージを送信する許可を求める要求（７１５）を、前記プッシュツートーク・サーバへ送信するように構成されたインタフェース（２０７）を備え、
前記チャットサーバは、該チャットサーバが前記許可を有する場合にのみ前記チャットメッセージを前記プッシュツートーク・サーバへ転送するように構成されていることを特徴とする、チャットサーバ。
【請求項９】
プッシュツートーク識別子用の記憶装置（２４３）を備え、
前記要求を送信するように構成された前記インタフェースが、該要求の中に前記プッシュツートーク識別子を含めるように構成されていることを特徴とする、請求項８に記載のチャットサーバ。
【請求項１０】
プッシュツートーク・クライアントへチャットメッセージを送信する許可を求める要求をいつ送信するかを決定するメカニズム（５００、５０５）を備えることを特徴とする、請求項８または９に記載のチャットサーバ。
【請求項１１】
前記メカニズムが、前記許可が最後に回収されてから、いくつのチャットメッセージを受信したかをカウントするカウンタ（５００）を含むことを特徴とする、請求項１０に記載のチャットサーバ。
【請求項１２】
プッシュツートーク・メッセージを受信するように構成された前記インタフェースが、請求項１または２に記載の前記プッシュツートーク・サーバからプッシュツートーク・メッセージを受信するように構成され、
前記チャットサーバが、前記プッシュツートーク・サーバから前記許可を受信した後で、前記チャットサーバからチャットメッセージを送信する許可をいつ回収するかを決定するように構成された回収メカニズム（１６０ａ、１６０ｂ）を備えることを特徴とする、請求項８乃至１１のいずれか１項に記載のチャットサーバ。
【請求項１３】
請求項１乃至７のいずれか１項に記載のプッシュツートーク・サーバと、請求項８乃至１２のいずれか１項に記載のチャットサーバとを備えることを特徴とする通信ネットワーク。
【請求項１４】
チャットメッセージを音声に変換し、プッシュツートーク・メッセージをテキストに変換する、テキスト／音声変換器（２２５）を更に備えることを特徴とする請求項１３に記載の通信ネットワーク。
【請求項１５】
移動体無線ネットワーク（１００）内のプッシュツートーク・サーバ（１０５）と、コンピュータネットワーク（１３５）内のチャットサーバ（２１０）との間の相互運用性を獲得するための方法であって、前記プッシュツートーク・サーバは、プッシュツートーク・メッセージ（７０５）をプッシュツートーク・クライアント（１２５）との間で転送し合い、前記チャットサーバは、チャットメッセージ（７００）をチャットクライアント（２１５）との間で転送し合うように構成され、前記方法は、
前記チャットサーバから前記プッシュツートーク・サーバへ、プッシュツートーク・クライアントへチャットメッセージを送信する許可を求める要求（７１５）メッセージを送信する工程と、
前記チャットサーバが前記許可を有する場合に、少なくとも１つのプッシュツートーク・クライアントへ転送させるために、チャットメッセージを前記チャットサーバから前記プッシュツートーク・サーバへ送信する工程と
を備えることを特徴とする方法。
【請求項１６】
第１の可変パラメータを監視する工程と、
前記第１の可変パラメータの値を第１の所定の値を比較する工程と、
前記第１の可変パラメータの値が前記第１の所定の値に等しい場合に、前記チャットサーバから前記許可を回収する工程と
を更に備えることを特徴とする請求項１５に記載の方法。
【請求項１７】
第２の可変パラメータを監視する工程と、
前記第２の可変パラメータの値を第２の所定の値と比較する工程と、
前記第２の可変パラメータの値が前記第２の所定の値に等しい場合に、要求を送信する前記ステップを実行する工程と
を更に備えることを特徴とする請求項１５または１６に記載の方法。
【請求項１８】
転送されたプッシュツートーク・メッセージと転送されたチャットメッセージとの割合の変化に応じて、前記第１の所定の値および前記第２の所定の値の少なくともいずれかが変化することを特徴とする請求項１６または１７に記載の方法。
【請求項１９】
前記要求メッセージが、メッセージを送信する許可が与えられてもよいエンティティとして前記チャットサーバを前記プッシュツートーク・サーバに識別させるための識別子を含むことを特徴とする、請求項１５乃至１８のいずれか１項に記載の方法。
【請求項２０】
通信ネットワーク（２００）内でチャットサーバ（２１０）を動作させる方法であって、該通信ネットワークは、前記チャットサーバ（２１０）および少なくとも１つのチャットクライアント（２１５）を備え、該チャットクライアントは、前記チャットサーバを介してチャットメッセージ（７００）を他のチャットクライアントへ送信可能であり、
ａ）チャットメッセージをチャットクライアントから受信する工程と、
ｂ）前記チャットメッセージを他のチャットクライアントへ送信する工程と
を備える前記方法が、
ｃ）前記通信ネットワーク内のプッシュツートーク・サーバ（１０５）へ、前記通信ネットワーク内のプッシュツートーク・クライアント（１２５）へチャットメッセージを送信する許可を求める要求（７１５）を送信する工程と、
ｄ）プッシュツートーク・クライアントへのチャットメッセージの送信許可を受信する工程と、
ｅ）前記送信許可の受信に応じて、前記チャットメッセージを前記プッシュツートーク・サーバへ送信する工程と
を備えることを特徴とする方法。
【請求項２１】
通信ネットワーク（２００）内でプッシュツートーク・サーバ（１０５）を動作させる方法であって、該通信ネットワークは前記プッシュツートーク・サーバ（２１０）および少なくとも１つのプッシュツートーク・クライアント（１２５）を備え、該プッシュツートーク・クライアントは、前記プッシュツートーク・サーバを介してプッシュツートーク・メッセージ（７０５）を他のプッシュツートーク・クライアントへ送信可能であり、
ａ）プッシュツートーク・メッセージの送信要求をプッシュツートーク・クライアントから受信する工程と、
ｂ）プッシュツートーク・メッセージをプッシュツートーク・クライアントから受信する工程と、
ｃ）前記プッシュツートーク・メッセージを他のプッシュツートーク・クライアントへ送信する工程と
を備える前記方法が、
ｄ）前記通信ネットワーク内のチャットサーバへ、前記プッシュツートーク・メッセージを送信する工程と
を備える方法が、
ｅ）前記チャットサーバから、前記プッシュツートーク・サーバーを介してプッシュツートーク・クライアントへメッセージ（７００）を送信する要求（７１５）を受信する工程を備え、
前記プッシュツートーク・サーバーは、前記チャットサーバから受信した前記要求に対し、前記プッシュツートーク・クライアントから受信した前記送信要求に対する場合とは異なる応答を行う
ことを特徴とする方法。
【請求項２２】
通信ネットワーク（２００）内でメッセージ（７００、７０５）を通信するためのコンピュータプログラムであって、
該通信ネットワークはプッシュツートーク・メッセージ（７０５）を送信可能なプッシュツートーク・クライアント（１２５）と、プッシュツートーク・メッセージの送信許可をプッシュツートーク・クライアント（１２５）に与える許可メカニズム（１５５）を有するプッシュツートーク・サーバ（１０５）とを有し、
前記コンピュータプログラムは、コンピュータで実行されると、
プッシュツートーク・クライアントから受信したプッシュツートーク・メッセージをチャットサーバ（２１０）へ転送し、
チャットメッセージ（７００）を他のプッシュツートーク・クライアントへ送信する許可を求める要求（７１５）をプッシュツートーク・クライアントから受信し、
プッシュツートーク・クライアントへチャットメッセージ（７００）を送信する許可を求める要求（７１５）を、前記チャットサーバから受信可能とし、
前記要求に応じて、唯１つのプッシュツートーク・クライアント、または、前記別のサーバが、拡大されたチャットグループ内のプッシュツートーク・クライアントへ一時にメッセージを送信することが許可されるように、前記チャットサーバに前記許可を与えることを可能とし、
前記チャットサーバからの要求に対し、プッシュツートーク・クライアントからの要求に対する場合とは異なる応答を行うことを可能とする
ことを特徴とするコンピュータプログラム。
【請求項２３】
通信ネットワーク（２００）内でメッセージ（７００、７０５）を通信するためのコンピュータプログラムであって、
該通信ネットワークはチャットメッセージ（７００）を送信することができるチャットクライアント（２１５）と、前記チャットメッセージをチャットクライアントへ転送することができるチャットサーバ（２１０）とを備え、
前記コンピュータプログラムは、コンピュータで実行されると、
プッシュツートーク・クライアント（１２５）へチャットメッセージを送信する許可を求める要求（７１５）を、プッシュツートーク・サーバ（１０５）へ送信可能とし、
前記プッシュツートーク・サーバから前記許可を受信可能とし、
前記許可の受信に応じて、チャットメッセージを前記プッシュツートーク・サーバへ転送する
ことを特徴とするコンピュータプログラム。